(57)【要約】【課題】購入対象が表示された長大なリストから、除外したい複数の要素を特定する際にかかるユーザの手間を軽減することのできる表示装置等を提供する。【解決手段】表示制御部４３０は、複数の要素を含むリストを、スクロール可能に、若しくは、ページ送り可能に、画面に表示する。受付部４４０は、画面に表示されているリスト中の要素から、除外すべき除外要素の指定を受け付ける。抽出部４５０は、受け付けられた除外要素に類似する要素群を、リストから抽出する。確認部４６０は、抽出部４５０によって抽出された要素群についての梗概を画面に表示し、要素群の除外について確認を得る。そして、除外部４７０は、確認部４６０により確認が得られると、抽出部４５０によって抽出された要素群を、リストから除外する。【選択図】図３
2020166515.tif 000002
【特許請求の範囲】
【請求項１】
複数の要素を含むリストを、スクロール可能に、若しくは、ページ送り可能に、画面に表示する表示制御部と、
前記画面に表示されている前記リスト中の要素から、除外すべき除外要素の指定を受け付ける受付部と、
受け付けられた前記除外要素に類似する要素群を、前記リストから抽出する抽出部と、
抽出された前記要素群を、前記リストから除外する除外部と、
を備えることを特徴とする表示装置。
【請求項２】
前記抽出部によって抽出された前記要素群についての梗概を前記画面に表示し、前記要素群の除外について確認を得る確認部を更に備え、
前記除外部は、前記確認が得られると、前記要素群を前記リストから除外する、
ことを特徴とする請求項１に記載の表示装置。
【請求項３】
前記抽出部は、前記除外要素が有している複数の属性に応じた複数の前記要素群を、前記リストからそれぞれ抽出し、
前記確認部は、抽出された複数の前記要素群に対するそれぞれの前記梗概を、前記画面に表示し、
前記除外部は、何れかの前記梗概が指定されて、前記確認が得られると、指定された前記梗概に対する前記要素群を前記リストから除外する、
ことを特徴とする請求項２に記載の表示装置。
【請求項４】
前記表示制御部は、前記抽出部によって抽出された前記要素群が、前記リストから一時的に除外された仮リストを前記画面に表示し、
前記確認部は、異なる前記仮リストが前記画面に表示されて対比された後に、何れかの前記仮リストの反映について確認を得て、
前記除外部は、反映が確認された前記仮リストに対する前記要素群を、前記リストから除外する、
ことを特徴とする請求項２に記載の表示装置。
【請求項５】
前記除外部は、前記リストから前記要素群を削除すること、若しくは、前記リストにおいて前記要素群を非選択に設定することにより、前記要素群を前記リストから除外する、
ことを特徴とする請求項１乃至４の何れか１項に記載の表示装置。
【請求項６】
前記抽出部は、前記リストにおける要素の数が閾値以上か否かに応じて、前記要素群を抽出する際における前記除外要素との類似判定の緩急を変更する、
ことを特徴とする請求項１乃至５の何れか１項に記載の表示装置。
【請求項７】
前記複数の要素には、購入対象となる複数のアイテム、若しくは、任意に検索された複数のアイテムが含まれている、
ことを特徴とする請求項１乃至６の何れか１項に記載の表示装置。
【請求項８】
前記受付部は、前記画面に表示されている前記リスト中の要素から、選択すべき選択要素の指定を受け付けると共に、選択完了の指示を受け付ける、
ことを特徴とする請求項１乃至７の何れか１項に記載の表示装置。
【請求項９】
表示装置における表示方法であって、
前記表示装置が、複数の要素を含むリストを、スクロール可能に、若しくは、ページ送り可能に、画面に表示する表示制御ステップと、
前記表示装置が、前記画面に表示されている前記リスト中の要素から、除外すべき除外要素の指定を受け付ける受付ステップと、
前記表示装置が、受け付けられた前記除外要素に類似する要素群を、前記リストから抽出する抽出ステップと、
前記表示装置が、抽出された前記要素群を、前記リストから除外する除外ステップと、
を備えることを特徴とする表示方法。
【請求項１０】
コンピュータを、
複数の要素を含むリストを、スクロール可能に、若しくは、ページ送り可能に、画面に表示する表示制御部、
前記画面に表示されている前記リスト中の要素から、除外すべき除外要素の指定を受け付ける受付部、
受け付けられた前記除外要素に類似する要素群を、前記リストから抽出する抽出部、
抽出された前記要素群を、前記リストから除外する除外部、
として機能させることを特徴とするプログラム。
【発明の詳細な説明】
【技術分野】
【０００１】
本発明は、表示装置、表示方法、ならびに、プログラムに関する。
【背景技術】
【０００２】
従来より、競馬、競輪、競艇といった公営競技の投票券を、インターネット等を介して、ユーザ端末から購入できる情報処理システムが知られている。この情報処理システムでは、例えば、ユーザ端末からユーザがレースを指定すると、オッズ等を含んだ投票券のリストがユーザ端末に表示される。ユーザは、そのように表示されるリストの中から、所望の投票券を購入できるようになっている。
例えば、特許文献１には、適切な購入情報に基づいた人気情報を提供可能な情報処理システム（情報処理装置）の発明が開示されている。
【先行技術文献】
【特許文献】
【０００３】
【特許文献１】特開２０１６−７１７５２号公報
【発明の概要】
【発明が解決しようとする課題】
【０００４】
また、競馬の投票券（馬券：勝馬投票券）には、１着、２着、３着になると予想される３頭の馬番を順番通りに指定する「三連単」（番号三連勝単式）と呼ばれる式別がある。この式別をユーザが選んだ場合に、１着、２着、３着の馬の候補をそれぞれ１又は複数選択するだけで、その順列組合せ全パターンの投票券を購入対象としてリストアップするシステムが考えられる。 この場合、選択する馬の数に応じて購入対象のリストが長大になる。
例えば、図１４に示すように、ユーザ端末ＵＴの画面には、三連単のリストＬＴのうち、一部だけが表示されることが考えられる。
【０００５】
この図１４では、ユーザ端末ＵＴがスマートフォンの場合における表示例を示している。なお、ユーザ端末がＰＣ（パーソナルコンピュータ）であれば、別途、絞り込みボタンを画面に配置することも可能となるが、スマートフォンの場合では、画面が小さいため、絞り込みボタンを別途配置すると、リスト表示できる領域が少なくなる等、ユーザの利便性を損うことになる。
そのため、ユーザ端末ＵＴを利用するユーザは、長大な三連単のリストＬＴにおける各要素を確認するために、スクロール操作やページ送り操作を行う必要があった。
【０００６】
なお、このような投票券のリストに限らず、長大なリストから所望の要素を選びたい場合にも同様の問題が生じる。例えば、多数の商品を取り扱っているショッピングサイトにおいて商品を検索した場合などでは、検索結果のリストが長大になるため、ユーザ端末には、リストの一部のみが表示される。この場合も、長大な検索結果のリストにおける各要素を確認するために、ユーザは、スクロール操作やページ送り操作を行う必要があった。
【０００７】
本発明は、上記実状に鑑みてなされたもので、購入対象が表示された長大なリストから、除外したい複数の要素を特定する際にかかるユーザの手間を軽減することのできる表示装置、表示方法、ならびに、プログラムを提供することを目的とする。
【課題を解決するための手段】
【０００８】
本発明の第１の観点に係る表示装置は、
複数の要素を含むリストを、スクロール可能に、若しくは、ページ送り可能に、画面に表示する表示制御部と、
前記画面に表示されている前記リスト中の要素から、除外すべき除外要素の指定を受け付ける受付部と、
受け付けられた前記除外要素に類似する要素群を、前記リストから抽出する抽出部と、
抽出された前記要素群を、前記リストから除外する除外部と、
を備えることを特徴とする。
【０００９】
また、上記観点に係る表示装置は、
前記抽出部によって抽出された前記要素群についての梗概を前記画面に表示し、前記要素群の除外について確認を得る確認部を更に備え、
前記除外部は、前記確認が得られると、前記要素群を前記リストから除外するようにしてもよい。
【００１０】
また、上記観点に係る表示装置において、
前記抽出部は、前記除外要素が有している複数の属性に応じた複数の前記要素群を、前記リストからそれぞれ抽出し、
前記確認部は、抽出された複数の前記要素群に対するそれぞれの前記梗概を、前記画面に表示し、
前記除外部は、何れかの前記梗概が指定されて、前記確認が得られると、指定された前記梗概に対する前記要素群を前記リストから除外するようにしてもよい。
【００１１】
また、上記観点に係る表示装置において、
前記表示制御部は、前記抽出部によって抽出された前記要素群が、前記リストから一時的に除外された仮リストを前記画面に表示し、
前記確認部は、異なる前記仮リストが前記画面に表示されて対比された後に、何れかの前記仮リストの反映について確認を得て、
前記除外部は、反映が確認された前記仮リストに対する前記要素群を、前記リストから除外するようにしてもよい。
【００１２】
また、上記観点に係る表示装置において、
前記除外部は、前記リストから前記要素群を削除すること、若しくは、前記リストにおいて前記要素群を非選択に設定することにより、前記要素群を前記リストから除外するようにしてもよい。
【００１３】
また、上記観点に係る表示装置において、
前記抽出部は、前記リストにおける要素の数が閾値以上か否かに応じて、前記要素群を抽出する際における前記除外要素との類似判定の緩急を変更するようにしてもよい。
【００１４】
また、上記観点に係る表示装置において、
前記複数の要素には、購入対象となる複数のアイテム、若しくは、任意に検索された複数のアイテムが含まれていてもよい。
【００１５】
また、上記観点に係る表示装置において、
前記受付部は、前記画面に表示されている前記リスト中の要素から、選択すべき選択要素の指定を受け付けると共に、選択完了の指示を受け付けるようにしてもよい。
【００１６】
本発明の第２の観点に係る表示方法は、
表示装置における表示方法であって、
前記表示装置が、複数の要素を含むリストを、スクロール可能に、若しくは、ページ送り可能に、画面に表示する表示制御ステップと、
前記表示装置が、前記画面に表示されている前記リスト中の要素から、除外すべき除外要素の指定を受け付ける受付ステップと、
前記表示装置が、受け付けられた前記除外要素に類似する要素群を、前記リストから抽出する抽出ステップと、
前記表示装置が、抽出された前記要素群を、前記リストから除外する除外ステップと、
を備えることを特徴とする。
【００１７】
本発明の第３の観点に係るプログラムは、
コンピュータを、
複数の要素を含むリストを、スクロール可能に、若しくは、ページ送り可能に、画面に表示する表示制御部、
前記画面に表示されている前記リスト中の要素から、除外すべき除外要素の指定を受け付ける受付部、
受け付けられた前記除外要素に類似する要素群を、前記リストから抽出する抽出部、
抽出された前記要素群を、前記リストから除外する除外部、
として機能させることを特徴とする。
【００１８】
上記プログラムは、当該プログラムが実行されるコンピュータとは独立して、コンピュータ通信網を介して配布・販売することができる。
更に、上記プログラムを記録する情報記録媒体は、非一時的な（non-transitory）記録媒体であり、コンピュータとは独立して配布・販売することができる。ここで、非一時的な記録媒体とは、有形な（tangible）記録媒体をいう。非一時的な記録媒体は、例えば、コンパクトディスク、フレキシブルディスク、ハードディスク、光磁気ディスク、ディジタルビデオディスク、磁気テープ、半導体メモリ等である。また、一時的な（transitory）記録媒体とは、伝送媒体（伝搬信号）それ自体を示す。一時的な記録媒体は、例えば、電気信号、光信号、電磁波等である。なお、一時的な（temporary）記憶領域とは、データやプログラムを一時的に記憶するための領域であり、例えば、ＲＡＭ（Random Access Memory）等の揮発性メモリである。
【発明の効果】
【００１９】
本発明によれば、購入対象が表示された長大なリストから、除外したい複数の要素を特定する際にかかるユーザの手間を軽減することができる。
【図面の簡単な説明】
【００２０】
【図１】本実施形態に係る情報処理システムの全体構成の一例を示すブロック図である。
【図２】本実施形態に係る表示装置等が実現される典型的な情報処理装置の概要構成の一例を示すブロック図である。
【図３】本実施形態に係る表示装置の機能構成の一例を示すブロック図である。
【図４】購入可能な馬券のリストの一例を示す模式図である。
【図５】（ａ）が、レースにおける式別を選択するための式別選択ページの一例を示す模式図であり、（ｂ）が、馬番を選択するための馬番選択ページの一例を示す模式図である。
【図６】馬券購入ページの一例を示す模式図である。
【図７】チェックボックスのチェックが外された馬券購入ページの一例を示す模式図である。
【図８】確認ボタンが配置された馬券購入ページの一例を示す模式図である。
【図９】（ａ）が、リストにおける要素群を非選択に設定した場合における馬券購入ページの一例を示す模式図であり、（ｂ）が、要素群をリストから削除した場合における馬券購入ページの一例を示す模式図である。
【図１０】本実施形態に係る馬券購入処理を説明するためのフローチャートである。
【図１１】（ａ），（ｂ）共に、リストを仮更新した場合における馬券購入ページの一例を示す模式図である。
【図１２】会計ページの一例を示す模式図である。
【図１３】商品検索ページの一例を示す模式図である。
【図１４】従来のユーザ端末に、リストの一部が表示される様子を説明するための模式図である。
【発明を実施するための形態】
【００２１】
以下に本発明の実施形態を説明する。本発明の実施形態では、公営競技の１つである競馬の馬券（勝馬投票券）を、ユーザが操作する端末（表示装置）から購入可能な情報処理システムについて説明するが、このような競馬に限られず、競輪、競艇といった他の公営競技の投票券を購入する情報処理システムにおいても、同様に適用可能である。
また、後述するように、多数の商品を取り扱っている販売サーバから任意の商品を検索して購入するような情報処理システムにおいても、適用可能である。
なお、以下の実施形態は説明のためのものであり、本願発明の範囲を制限するものではない。したがって、当業者であればこれらの各要素または全要素をこれと均等なものに置換した実施形態を採用することが可能であるが、これらの実施形態も本発明の範囲に含まれる。
【００２２】
（全体構成）
本発明の実施形態に係る情報処理システム１００は、例えば、リストに表示される競馬の馬券を、ユーザが任意に選択して購入できるシステムであり、図１に示すように、主催元サーバ２００と、馬券発売代行サーバ３００と、ユーザに操作される表示装置４００とを含んで構成される。そして、主催元サーバ２００と、馬券発売代行サーバ３００と、表示装置４００とは、インターネット９００を介して通信可能に接続されている。
なお、図１には、表示装置４００を３台だけ示しているが、発明の理解を容易にするためであり、実際には、ユーザ数に応じて、膨大な数の表示装置４００が含まれているものとする。
【００２３】
主催元サーバ２００は、競馬の主催者によって設置されたサーバ装置であり、主催するレースに関する情報を管理する。レースに関する情報には、例えば、レース前（投票締め切り前）における式別毎の馬券の情報（馬券に対するオッズ等）、及び、レース後における着順や払い戻しの情報が含まれている。主催元サーバ２００は、このようなレースに関する情報を馬券発売代行サーバ３００に送信する。また、主催元サーバ２００は、馬券発売代行サーバ３００から送られた購入馬券に関する情報を受信する。
【００２４】
馬券発売代行サーバ３００は、競馬の主催者に代わってユーザに馬券を発売するサーバ装置である。馬券発売代行サーバ３００は、主催元サーバ２００から受信したレースに関する情報を表示装置４００に提供する。また、馬券発売代行サーバ３００は、表示装置４００から馬券の購入を受け付け、購入馬券に関する情報を主催元サーバ２００に送信する。この他にも、馬券発売代行サーバ３００は、表示装置４００から購入された馬券が的中した場合に、その馬券に対する払い戻し処理等を行う。
【００２５】
表示装置４００は、例えば、スマートフォンやパーソナルコンピュータ等であり、馬券を購入するユーザに使用される。
表示装置４００は、ユーザの操作に応じて、馬券発売代行サーバ３００にアクセスし、レースに関する情報を受信して画面に表示する。また、表示装置４００は、馬券発売代行サーバ３００と協働し、ユーザが選んだ馬券の購入処理や払い戻し処理を行う。
【００２６】
（情報処理装置の概要構成）
本実施形態に係る表示装置４００等が実現される典型的な情報処理装置５００について説明する。
【００２７】
情報処理装置５００は、図２に示すように、ＣＰＵ（Central Processing Unit）５０１と、ＲＯＭ（Read Only Memory）５０２と、ＲＡＭ（Random Access Memory）５０３と、ＮＩＣ（Network Interface Card）５０４と、画像処理部５０５と、音声処理部５０６と、補助記憶部５０７と、インターフェース５０８と、操作ユニット５０９と、表示ユニット５１０と、スピーカ５１１と、を備える。
【００２８】
ＣＰＵ  ５０１は、情報処理装置５００全体の動作を制御し、各構成要素と接続され制御信号やデータをやりとりする。
【００２９】
ＲＯＭ  ５０２には、電源投入直後に実行されるＩＰＬ（Initial Program Loader）が記録され、これが実行されることにより、補助記憶部５０７に記憶されたプログラムをＲＡＭ  ５０３に読み出してＣＰＵ  ５０１による当該プログラムの実行が開始される。
【００３０】
ＲＡＭ  ５０３は、データやプログラムを一時的に記憶するためのもので、補助記憶部５０７から読み出されたプログラムやデータ、その他、通信に必要なデータ等が保持される。
【００３１】
ＮＩＣ  ５０４は、情報処理装置５００をインターネット等のコンピュータ通信網に接続するためのものであり、ＬＡＮ（Local Area Network）を構成する際に用いられる１０ＢＡＳＥ−Ｔ／１００ＢＡＳＥ−Ｔ規格にしたがうものや、電話回線を用いてインターネットに接続するためのアナログモデム、ＩＳＤＮ（Integrated Services Digital Network）モデム、ＡＤＳＬ（Asymmetric Digital Subscriber Line）モデム、ケーブルテレビジョン回線を用いてインターネットに接続するためのケーブルモデム等から構成される。
【００３２】
画像処理部５０５は、補助記憶部５０７等から読み出された画像データをＣＰＵ  ５０１や画像処理部５０５が備える画像演算プロセッサ（図示せず）によって加工処理した後、これを画像処理部５０５が備えるフレームメモリ（図示せず）に記録する。フレームメモリに記録された画像情報は、所定の同期タイミングでビデオ信号に変換され、インターフェース５０８等を介して表示ユニット５１０に出力される。つまり、画像処理部５０５は、ＣＰＵ  ５０１の制御の下、情報処理装置５００が行う処理の進行の中で必要となる画像を生成し、その画像を表示ユニット５１０に表示させる。
【００３３】
音声処理部５０６は、補助記憶部５０７等から読み出された音声データを音声信号に変換し、インターフェース５０８を介してスピーカ５１１に出力する。つまり、音声処理部５０６は、ＣＰＵ  ５０１の制御の下、情報処理装置５００が行う処理の進行の中で発生させるべき音声を生成し、その音声をスピーカ５１１から出力させる。
【００３４】
補助記憶部５０７は、ハードディスク等であり、情報処理装置５００全体の動作制御に必要な各種のプログラムや各種のデータを記憶する。例えば、補助記憶部５０７には、本実施形態に係る表示装置４００を実現するためのプログラムが記憶される。そして、ＣＰＵ  ５０１の制御によって、補助記憶部５０７は、記憶されたプログラムやデータを適宜読み出し、これらをＲＡＭ  ５０３等に一時的に記憶させる。
【００３５】
インターフェース５０８には、操作ユニット５０９、表示ユニット５１０、及び、スピーカ５１１が接続される。なお、インターフェース５０８は、この他に接続された外部機器との間で必要な情報を送受信してもよい。
【００３６】
操作ユニット５０９は、例えば、ボタンやタッチパネル（タッチスクリーン）であり、情報処理装置５００を利用するユーザの操作入力を受け付ける。
【００３７】
表示ユニット５１０は、例えば、液晶表示パネル等であり、画像処理部５０５により出力された画像データに応じた画像を描画し、情報処理装置５００のユーザに提示する。
【００３８】
スピーカ５１１は、音声処理部５０６により出力された音声データに応じた音声を出力し、情報処理装置５００のユーザに提示する。
【００３９】
この他に、情報処理装置５００は、補助記憶部５０７の代わりに、ＤＶＤ（Digital Versatile Disc）−ＲＯＭ等のドライブユニットを備えるようにしてもよい。この場合、情報処理装置５００は、ドライブユニットに装着されるＤＶＤ−ＲＯＭ等からプログラムやデータを読み出して、上記と同様に動作する。
【００４０】
以下、上記の情報処理装置５００により実現される表示装置４００の機能構成等について、図３〜図９を参照して説明する。情報処理装置５００に電源が投入されると、表示装置４００として機能させるプログラムが実行され、本実施形態に係る表示装置４００が実現される。
なお、主催元サーバ２００、及び、馬券発売代行サーバ３００も同様に、情報処理装置５００によって実現されるが、こちらについては説明を省略し、本実施形態において最も特徴的な表示装置４００について、以下説明する。
【００４１】
（表示装置の機能構成）
図３は、本実施形態に係る表示装置４００の機能構成の一例を示すブロック図である。図示するように、表示装置４００は、送受信部４１０と、記憶部４２０と、表示制御部４３０と、受付部４４０と、抽出部４５０と、確認部４６０と、除外部４７０とを備える。
【００４２】
送受信部４１０は、馬券発売代行サーバ３００との間で、必要な情報を送受信する。
例えば、送受信部４１０は、馬券発売代行サーバ３００から送られたレースに関する情報を受信する。送受信部４１０が受信したレースに関する情報は、記憶部４２０に記憶される。
また、送受信部４１０は、ユーザによって馬券の購入が指示された際に、購入馬券に関する情報を馬券発売代行サーバ３００に送信する。
【００４３】
なお、上述したＮＩＣ  ５０４等が、このような送受信部４１０として機能しうる。
【００４４】
記憶部４２０は、送受信部４１０が受信したレースに関する情報等を記憶する。レースに関する情報には、例えば、ユーザが購入可能な馬券のリストが含まれている。
具体的に、記憶部４２０は、図４に示すような長大なリストＬＴを記憶している。このリストＬＴは、一例として、三連単（番号三連勝単式）と呼ばれる式別についてのリストである。このリストＬＴには、レースにおける出走馬の総数から３頭を選ぶ順列により、全ての要素がリストアップされている。
なお、記憶部４２０は、他の式別についてのリストも記憶している。つまり、記憶部４２０は、図４のような三連単のリストＬＴ以外にも、単勝式、複勝式、枠複（枠番号二連勝複式）、枠単（枠番号二連勝単式）、馬複（馬番号二連勝複式）、馬単（馬番号二連勝単式）、ワイド（拡大馬番号二連勝複式）、及び、三連複（馬番号三連勝複式）についてのリストも、それぞれ記憶している。
【００４５】
なお、上述した補助記憶部５０７等が、このような記憶部４２０として機能しうる。
【００４６】
図３に戻って、表示制御部４３０は、複数の要素を含むリストを、スクロール可能に、若しくは、ページ送り可能に、画面に表示する。つまり、表示制御部４３０は、上述した図４のような長大なリストＬＴの一部を画面に表示する。
具体的に、表示制御部４３０は、三連単のリストＬＴのうち、ユーザによって馬番の組み合わせが絞り込まれたリストを表示する。例えば、表示制御部４３０は、図５（ａ）に示すような式別選択ページＢＰ１を画面に表示し、ユーザによって三連単の式別が選択されると、図５（ｂ）に示すような馬番選択ページＢＰ２を画面に表示する。そして、ユーザによって馬番が選択されると、表示制御部４３０は、図６に示すような馬券購入ページＢＰ３を画面に表示する。この馬券購入ページＢＰ３は、三連単の馬券を購入するためのページであり、一例として、図５（ｂ）に示す馬番選択ページＢＰ２にて絞り込まれたリストにおける先頭１ページ分の要素が含まれている。
【００４７】
馬券購入ページＢＰ３には、全要素（絞り込まれたリスト中の全要素）を購入対象として選択するためのチェックボックスＣＢ１と、各要素をそれぞれ購入対象として選択するためのチェックボックスＣＢ２とが配置されている。なお、図６の馬券購入ページＢＰ３は、馬番選択ページＢＰ２にて絞り込まれた直後の画面であり、全要素が購入対象として選択されている状態を例示している。
また、馬券購入ページＢＰ３には、次ページへページ送りするためのページ送りボタンＰＯ１と、前ページへページ送り（ページ戻し）するためのページ送りボタンＰＯ２とが配置されており、これらページ送りボタンＰＯ１，ＰＯ２がユーザに操作されると、表示制御部４３０は、絞り込まれたリストにおける続きを画面に表示する。なお、図６の馬券購入ページＢＰ３では、ページ送りボタンＰＯ１，ＰＯ２によって、ページ送り操作する場合を例示しているが、これ以外にも、スクロール操作によって、絞り込まれたリストにおける続きを画面に表示するようにしてもよい。
更に、馬券購入ページＢＰ３には、馬券の選択完了を指示（馬券の購入を指示）するための購入ボタンＫＢが配置されている。この購入ボタンＫＢがユーザに操作されると、例えば、購入対象の馬券や代金等が集計された会計ページに遷移して、選択した馬券を購入できるようになる。
【００４８】
なお、上述したＣＰＵ  ５０１及び画像処理部５０５等が、このような表示制御部４３０として機能しうる。
【００４９】
図３に戻って、受付部４４０は、ユーザからの各種操作を受け付ける。
例えば、受付部４４０は、上述した式別選択ページＢＰ１、馬番選択ページＢＰ２、及び、馬券購入ページＢＰ３におけるユーザの選択操作を受け付ける。なお、馬券購入ページＢＰ３が表示された場合では、受付部４４０は、画面に表示されているリスト中の要素から、除外すべき除外要素の指定を受け付ける。
具体的に、上述した図６の馬券購入ページＢＰ３のように、全要素が購入対象として選択されている状態から、何れかのチェックボックスＣＢ２にてチェックが外されると、受付部４４０は、その要素を除外要素として受け付ける。一例として、図７に示す馬券購入ページＢＰ４のように、チェックボックスＣＢ２−３のチェックが外されると、受付部４４０は、その要素（「３＞８＞４」の馬券）を除外要素として受け付ける。なお、このように全要素が購入対象として選択されている状態だけではなく、所定数以上の要素が選択されている状態で、何れかのチェックボックスＣＢ２のチェックが外された場合も、受付部４４０は、その要素を除外要素として受け付けるようにしてもよい。
【００５０】
また、受付部４４０は、画面に表示されているリスト中の要素から、選択すべき選択要素の指定を受け付けると共に、選択完了の指示を受け付ける。例えば、上述した図７の馬券購入ページＢＰ４のように、チェックボックスＣＢ２−３のチェックが外されている状態で、再び、チェックボックスＣＢ２−３にチェックが入れられると、受付部４４０は、その要素を選択要素として受け付ける。そして、購入ボタンＫＢが操作されると、受付部４４０は、選択完了の指示を受け付ける。
この他にも、受付部４４０は、馬券購入ページＢＰ３等におけるページ送りボタンＰＯ１，ＰＯ２が操作されると、ページ送りの指示を受け付ける。なお、受付部４４０は、このようなページ送り操作以外にも、スクロール操作を受け付けるようにしてもよい。
【００５１】
なお、上述した操作ユニット５０９等が、このような受付部４４０として機能しうる。
【００５２】
図３に戻って、抽出部４５０は、上記の受付部４４０が除外要素の指定を受け付けると、その除外要素に類似する要素群を、リストから抽出する。
例えば、上述した図７のように、チェックボックスＣＢ２−３のチェックが外されることで、受付部４４０が、「３＞８＞４」の馬券を除外要素として受け付けると、抽出部４５０は、その除外要素に類似する要素群を、絞り込まれたリストから抽出する。その際、抽出部４５０は、除外要素が有している複数の属性に応じた複数の要素群を、絞り込まれたリストからそれぞれ抽出する。
【００５３】
図７の「３＞８＞４」の馬券には、例えば、３の馬番、８の馬番、４の馬番、そして、払戻金が３，０００円未満又はオッズが１００倍未満の属性が含まれている。そのため、抽出部４５０は、絞り込まれたリストから、３の馬番が含まれている要素群、８の馬番が含まれている要素群、４の馬番が含まれている要素群、及び、払戻金が３，０００円未満又はオッズが１００倍未満の要素群をそれぞれ抽出する。
なお、後述する確認部４６０にて、抽出よりも先に属性の指定が行われる場合に、抽出部４５０は、指定された属性に応じた要素群だけを、絞り込まれたリストから抽出するようにしてもよい。
【００５４】
そして、上述したＣＰＵ  ５０１等が、このような抽出部４５０として機能しうる。
【００５５】
図３に戻って、確認部４６０は、上記の抽出部４５０によって抽出された要素群についての梗概を画面に表示し、その要素群を除外することについてユーザの確認を得る。
具体的に、確認部４６０は、上述した図７の馬券購入ページＢＰ４のように、受付部４４０が、「３＞８＞４」の馬券を除外要素として受け付けることで、抽出部４５０が、３の馬番を含む要素群、８の馬番を含む要素群、４の馬番を含む要素群、及び、払戻金が３，０００円未満又はオッズが１００倍未満の要素群を、それぞれ、絞り込まれたリストから抽出した場合に、確認部４６０は、図８に示す馬券購入ページＢＰ５のように、抽出された要素群についての梗概が記された選択ボタンＳＢ１〜ＳＢ４（ＳＢ１，・・・，ＳＢ３，ＳＢ４）を画面に配置する（一例として、ポップアップに表示する）。なお、これらの選択ボタンＳＢ１〜ＳＢ４は、横スクロール操作により、表示するボタンを切り替えられるようにしてもよい。また、これらの選択ボタンＳＢ１〜ＳＢ４に加えて、キャンセルボタン等を配置するようにしてもよい。
これらの選択ボタンＳＢ１〜ＳＢ４の何れかがユーザに操作されると、確認部４６０は、対応する要素群を除外することについて、ユーザの確認を得たことになる。
【００５６】
なお、確認部４６０は、抽出部４５０が要素群を抽出する前に、図８のような選択ボタンＳＢ１〜ＳＢ４を画面に表示して、ユーザの確認を先に得るようにしてもよい。つまり、上述した受付部４４０が除外要素の指定を受け付けると、その除外要素が有している複数の属性についての梗概を画面に表示し、その属性に応じた要素群を除外することについてユーザの確認を得る。この場合、上述した抽出部４５０は、この確認で指定された属性に応じた要素群だけを、絞り込まれたリストから抽出することになる。
【００５７】
そして、上述したＣＰＵ  ５０１及び操作ユニット５０９等が、このような確認部４６０として機能しうる。
【００５８】
図３に戻って、除外部４７０は、上記の確認部４６０がユーザの確認を得ると、抽出部４５０によって抽出された要素群を、リストから除外する。つまり、上述した図８の馬券購入ページＢＰ５における選択ボタンＳＢ１〜ＳＢ４の何れかがユーザに操作されると、指定された梗概に対する要素群を、絞り込まれたリストから除外する。
具体的に、除外部４７０は、図８の馬券購入ページＢＰ５における選択ボタンＳＢ３がユーザに操作された場合に、絞り込まれたリストにおいて、４の馬番を含む要素群を非選択に設定する。つまり、除外後に表示制御部４３０は、図９（ａ）に示すような馬券購入ページＢＰ６を画面に表示することになる。この馬券購入ページＢＰ６では、４の馬番を含む要素について、チェックボックスＣＢ２のチェックが外されており、また、選択している件数も減少している。
【００５９】
なお、除外部４７０は、このように対象の要素群を非選択に設定する代わりに、絞り込まれたリストから対象の要素群を削除するようにしてもよい。この場合、除外後に表示制御部４３０は、図９（ｂ）に示すような馬券購入ページＢＰ７を画面に表示することになる。つまり、馬券購入ページＢＰ７には、４の馬番を含む要素が含まれていない。
また、除外部４７０は、このようにしてユーザの確認を得た後に、対象の要素群をリストから除外する代わりに、確認部４６０の確認を省略して、抽出部４５０によって抽出された要素群を、直ちにリストから除外するようにしてもよい。例えば、除外要素が１つの属性だけを有している場合などにおいて、除外部４７０は、抽出された要素群を直ちにリストから除外する。
【００６０】
そして、上述したＣＰＵ  ５０１等が、このような除外部４７０として機能しうる。
【００６１】
（表示装置の動作）
以下、このような構成の表示装置４００の動作について図１０を参照して説明する。図１０は、表示装置４００が実行する馬券購入処理の流れを示すフローチャートである。この馬券購入処理は、例えば、表示装置４００を操作するユーザが、馬券発売代行サーバ３００にサインインした後に開始される。
【００６２】
ユーザが馬券発売代行サーバ３００にサインインすると、まず、表示装置４００は、馬券発売代行サーバ３００から送られるレースに関する情報を受信する（ステップＳ１１）。
すなわち、送受信部４１０は、馬券発売代行サーバ３００から送られるレースに関する情報を受信し、記憶部４２０に記憶させる。これにより、記憶部４２０は、図４のような長大なリストＬＴ（三連単のリスト）等を記憶する。
【００６３】
表示装置４００は、式別等を選択させるページを画面に表示し、ユーザの選択を受け付ける（ステップＳ１２）。
例えば、開催地、及び、レース番号がユーザによって選択されると、表示制御部４３０は、図５（ａ）のような式別選択ページＢＰ１を画面に表示する。そして、ユーザによって、例えば、三連単の式別が選択されると、表示制御部４３０は、図５（ｂ）のような馬番選択ページＢＰ２を画面に表示し、ユーザによる馬番の選択を受け付ける。
【００６４】
表示装置４００は、馬券を購入するための購入ページを画面に表示する（ステップＳ１３）。
例えば、表示制御部４３０は、図６のような馬券購入ページＢＰ３を画面に表示する。なお、図６の馬券購入ページＢＰ３では、上記のステップ１２にて、例えば、図５（ｂ）の馬番選択ページＢＰ２にて絞り込まれた直後の画面であり、全要素が購入対象として選択されている状態を例示している。
【００６５】
表示装置４００は、除外要素が指定されたか否かを判別する（ステップＳ１４）。
例えば、受付部４４０は、図６の馬券購入ページＢＰ３のように、全要素が購入対象として選択されている状態から、何れかのチェックボックスＣＢ２のチェックが外されたかどうかを判別する。なお、全要素が購入対象として選択されている状態だけではなく、受付部４４０は、所定数以上の要素が選択されている状態で、何れかのチェックボックスＣＢ２のチェックが外されたかどうかを判別してもよい。
表示装置４００は、除外要素が指定されていないと判別すると（ステップＳ１４；Ｎｏ）、後述するステップＳ１８に処理を進める。
【００６６】
一方、除外要素が指定されたと判別した場合（ステップＳ１４；Ｙｅｓ）に、表示装置４００は、除外要素に類似する要素群をリストから抽出する（ステップＳ１５）。
すなわち、抽出部４５０は、指定された除外要素に類似する要素群を、リストから抽出する。例えば、図７の馬券購入ページＢＰ４のように、チェックボックスＣＢ２−３のチェックが外されることで、「３＞８＞４」の馬券が除外要素として指定されると、抽出部４５０は、その除外要素に類似する要素群を、絞り込まれたリストから抽出する。その際、抽出部４５０は、除外要素が有している複数の属性に応じた複数の要素群を、絞り込まれたリストからそれぞれ抽出する。つまり、図７の「３＞８＞４」の馬券に、３の馬番、８の馬番、４の馬番、そして、払戻金が３，０００円未満又はオッズが１００倍未満の属性が含まれている場合に、抽出部４５０は、絞り込まれたリストから、３の馬番が含まれている要素群、８の馬番が含まれている要素群、４の馬番が含まれている要素群、及び、払戻金が３，０００円未満又はオッズが１００倍未満の要素群をそれぞれ抽出する。
【００６７】
表示装置４００は、要素群の除外についてユーザの確認を得る（ステップＳ１６）。
すなわち、確認部４６０は、ステップＳ１５にて抽出された要素群についての梗概を画面に表示し、その要素群を除外することについてユーザの確認を得る。
具体的に、確認部４６０は、図８の馬券購入ページＢＰ５のように、抽出された要素群についての梗概が記された選択ボタンＳＢ１〜ＳＢ４を画面に配置する。
そして、これらの選択ボタンＳＢ１〜ＳＢ４の何れかがユーザに操作されると、確認部４６０は、対応する要素群を除外することについて、ユーザの確認を得たことになる。
【００６８】
表示装置４００は、対象の要素群をリストから除外する（ステップＳ１７）。
すなわち、除外部４７０は、図８の馬券購入ページＢＰ５における選択ボタンＳＢ１〜ＳＢ４の何れかがユーザに操作されると、操作された梗概に対する要素群を、絞り込まれたリストから除外する。
具体的に、除外部４７０は、図８の馬券購入ページＢＰ５における選択ボタンＳＢ３が操作された場合、絞り込まれたリストにおいて、４の馬番を含む要素群を非選択に設定する。つまり、除外後に表示制御部４３０は、図９（ａ）に示すような馬券購入ページＢＰ６を画面に表示することになる。この馬券購入ページＢＰ６では、４の馬番を含む要素について、チェックボックスＣＢ２のチェックが外されており、また、選択している件数も減少している。
なお、除外部４７０は、このように対象の要素群を非選択に設定する代わりに、絞り込まれたリストから対象の要素群を削除するようにしてもよい。この場合、削除後に表示制御部４３０は、図９（ｂ）に示すような馬券購入ページＢＰ７を画面に表示することになる。つまり、馬券購入ページＢＰ７には、４の馬番を含む要素が含まれていない。
【００６９】
表示装置４００は、選択要素が指定されたか否かを判別する（ステップＳ１８）。
例えば、受付部４４０は、図６の馬券購入ページＢＰ３等におけるチェックボックスＣＢ１や何れかのチェックボックスＣＢ２に、チェックが入れられたかどうかを判別する。例えば、図７の馬券購入ページＢＰ４のように、チェックボックスＣＢ２−３のチェックが外されている状態であれば、受付部４４０は、チェックボックスＣＢ２−３にチェックが入れられたかどうかを判別する。
表示装置４００は、選択要素が指定されていないと判別すると（ステップＳ１８；Ｎｏ）、後述するステップＳ２０に処理を進める。
【００７０】
一方、選択要素が指定されたと判別した場合（ステップＳ１８；Ｙｅｓ）に、表示装置４００は、その選択要素を購入対象に加える（ステップＳ１９）。
例えば、表示装置４００は、絞り込まれたリストにおける対象の要素を選択（購入対象）に設定すると共に、馬券購入ページＢＰ３等におけるチェックボックスＣＢ２等の表示を更新する。
【００７１】
表示装置４００は、選択完了が指示されたか否かを判別する（ステップＳ２０）。
例えば、受付部４４０は、図６の馬券購入ページＢＰ３等における購入ボタンＫＢが操作されたかどうかを判別する。
表示装置４００は、選択完了が指示されていないと判別すると（ステップＳ２０；Ｎｏ）、上述したステップＳ１４に処理を戻す。
【００７２】
一方、選択完了が指示されたと判別した場合（ステップＳ２０；Ｙｅｓ）に、表示装置４００は、馬券購入の会計処理を行う（ステップＳ２１）。
例えば、表示装置４００は、購入対象の馬券や代金等が集計された会計ページを画面に表示し、ユーザの最終確認が得られた後に、ユーザの登録口座から購入代金を引き落とすなどの会計処理を行う。
【００７３】
このような馬券購入処理によって、図７の馬券購入ページＢＰ４のように、ユーザが何れかのチェックボックスＣＢ２（ＣＢ２−３等）のチェックを外すだけで、除外要素に類似する要素群が、絞り込まれたリストから適宜抽出され、図８の馬券購入ページＢＰ５のように、選択ボタンＳＢ１〜ＳＢ４（抽出された要素群についての梗概）が提示される。そして、選択ボタンＳＢ１〜ＳＢ４のうち、ユーザが何れかを操作するだけで、図９（ａ）の馬券購入ページＢＰ６、若しくは、図９（ｂ）の馬券購入ページＢＰ７のように、対象の要素群が、絞り込まれたリストから除外される。
【００７４】
この結果、購入対象が表示された長大なリストから、除外したい複数の要素を特定する際にかかるユーザの手間を軽減することができる。
【００７５】
（他の実施形態）
上記の実施形態では、図８の馬券購入ページＢＰ５に配置される選択ボタンＳＢ１〜ＳＢ４の何れかがユーザによって操作されると、図９（ａ），（ｂ）の馬券購入ページＢＰ６，ＢＰ７のように、対象の要素群が、絞り込まれたリストから除外される場合について説明したが、対象の要素群を、絞り込まれたリストから実際に除外する前に、要素群を除外した仮リストを一時的に作成して表示し、ユーザが対比できるようにしてもよい。
【００７６】
例えば、表示制御部４３０は、抽出部４５０によって抽出された要素群が、絞り込まれたリストから一時的に除外された仮リストを画面に表示する。具体的に、表示制御部４３０は、仮リストに基づいて、図１１（ａ）に示すような馬券購入ページＢＰ８や、図１１（ｂ）に示すような馬券購入ページＢＰ９を画面に表示し、ユーザが対比できるようにする。この馬券購入ページＢＰ８，ＢＰ９では、一時的に除外された要素群について、背景色等を変えて表示することにより、それらを目立たせている。また、馬券購入ページＢＰ８，ＢＰ９では、選択された件数の代わりに、合計金額を表示して、対比し易くしている。
こうして、異なる仮リストに基づく馬券購入ページＢＰ８，ＢＰ９等が表されて対比された後に、確認部４６０は、何れかの仮リストの反映についてユーザの確認を得る。
そして、除外部４７０は、確認部４６０によって、反映が確認された仮リストに対する要素群を、絞り込まれたリストから実際に除外する。
【００７７】
この場合も、購入対象が表示された長大なリストから、除外したい複数の要素を特定する際にかかるユーザの手間を軽減することができる。
【００７８】
上記の実施形態では、図６の馬券購入ページＢＰ３のように、選択用のチェックボックスＣＢ２から何れかのチェックが外されることで、除外要素を受け付ける場合について説明したが、削除用（除外用）のチェックボックスにチェックが入れられることで、除外要素を受け付けるようにしてもよい。
【００７９】
例えば、会計時などでは、購入対象の要素（アイテム）から、何れかの要素を削除するために、削除用のチェックボックスが配置されていることが一般的である。具体的に、図１２に示すような馬券購入のための会計ページＫＰにおいても、削除用のチェックボックスＣＢ３が配置されている。
このような会計ページＫＰにおいて、ユーザが何れかのチェックボックスＣＢ３にチェックを入れると、受付部４４０は、その要素を、除外要素として受け付ける。
以降は、上記と同様に、抽出部４５０は、受け付けた除外要素に類似する要素群を、リストから抽出し、また、確認部４６０は、抽出された要素群についての梗概を画面に表示し、その要素群を除外することについてユーザの確認を得る。そして、除外部４７０は、確認部４６０がユーザの確認を得ると、抽出部４５０によって抽出された要素群を、リストから除外する。
【００８０】
この場合も、購入対象が表示された長大なリストから、除外したい複数の要素を特定する際にかかるユーザの手間を軽減することができる。
【００８１】
上記の実施形態では、公営競技の投票券（一例として、勝ち馬投票券）を購入する情報処理システム１００について説明したが、多数の商品を取り扱っている販売サーバから任意の商品を検索して購入するような情報処理システムにおいても、適用可能である。
【００８２】
例えば、表示装置４００が、多数の商品を取り扱っている販売サーバにアクセスして商品を購入する情報処理システムであれば、商品を検索した際に、長大な検索結果リストを取得することになる。
具体的に、表示装置４００を操作するユーザが、「ベッド」を検索した場合に、送受信部４１０は、純粋なベッドだけでなく、ベッドシーツ等の関連商品を含んだ長大な検索結果リストを販売サーバから受信する。そのため、表示制御部４３０は、図１３に示すような商品検索ページＳＰを画面に表示することになる。この商品検索ページＳＰには、削除用（除外用）のチェックボックスＣＢ４が配置されている。
【００８３】
このような商品検索ページＳＰにおいて、ユーザが何れかのチェックボックスＣＢ４にチェックを入れると、受付部４４０は、その要素を、除外要素として受け付ける。
以降は、上記と同様に、抽出部４５０は、受け付けた除外要素に類似する要素群を、検索結果リストから抽出し、また、確認部４６０は、抽出された要素群についての梗概を画面に表示し、その要素群を除外（削除）することについてユーザの確認を得る。そして、除外部４７０は、確認部４６０がユーザの確認を得ると、抽出部４５０によって抽出された要素群を、検索結果リストから除外（削除）する。
なお、抽出部４５０は、検索結果リストにおける要素の数が閾値以上か否かに応じて、要素群を抽出する際における除外要素との類似判定の緩急を変更するようにしてもよい。例えば、検索結果リストにおける要素の数が閾値以上であれば、抽出部４５０は、除外要素との類似度合いを緩くして、要素群を抽出する。一方、検索結果リストにおける要素の数が閾値未満であれば、抽出部４５０は、除外要素との類似度合いを厳しく、要素群を抽出する。
【００８４】
この場合も、購入対象が表示された長大なリストから、除外したい複数の要素を特定する際にかかるユーザの手間を軽減することができる。つまり、投票券のような購入対象となる複数のアイテムが、リストに含まれている場合だけでなく、任意に検索された複数のアイテムが、リストに含まれている場合でも、除外したい複数の要素を特定する際にかかるユーザの手間を軽減することができる。
【００８５】
以上説明したように、本発明によれば、購入対象が表示された長大なリストから、除外したい複数の要素を特定する際にかかるユーザの手間を軽減することのできる表示装置、表示方法、ならびに、プログラムを提供することができる。
【符号の説明】
【００８６】
１００  情報処理システム
２００  主催元サーバ
３００  馬券発売代行サーバ
４００  表示装置
４１０  送受信部
４２０  記憶部
４３０  表示制御部
４４０  受付部
４５０  抽出部
４６０  確認部
４７０  除外部
５００  情報処理装置
５０１  ＣＰＵ
５０２  ＲＯＭ
５０３  ＲＡＭ
５０４  ＮＩＣ
５０５  画像処理部
５０６  音声処理部
５０７  補助記憶部
５０８  インターフェース
５０９  操作ユニット
５１０  表示ユニット
５１１  スピーカ
９００  インターネット
【図１】
2020166515.tif 000003
【図２】
2020166515.tif 000004
【図３】
2020166515.tif 000005
【図４】
2020166515.tif 000006
【図５】
2020166515.tif 000007
【図６】
2020166515.tif 000008
【図７】
2020166515.tif 000009
【図８】
2020166515.tif 000010
【図９】
2020166515.tif 000011
【図１０】
2020166515.tif 000012
【図１１】
2020166515.tif 000013
【図１２】
2020166515.tif 000014
【図１３】
2020166515.tif 000015
【図１４】
2020166515.tif 000016
【手続補正書】
【提出日】令和2年8月18日(2020.8.18)
【手続補正１】
【補正対象書類名】特許請求の範囲
【補正対象項目名】全文
【補正方法】変更
【補正の内容】
【特許請求の範囲】
【請求項１】
複数の要素を含むリストを、スクロール可能に、若しくは、ページ送り可能に、画面に表示する表示制御部と、
前記画面に表示されている前記リスト中の要素から、除外すべき除外要素の指定を受け付ける受付部と、
受け付けられた前記除外要素に類似する要素群を、前記リストから抽出する抽出部と、
前記抽出部によって抽出された前記要素群についての梗概を前記画面に表示し、前記要素群の除外について確認を得る確認部と、
前記確認が得られると、抽出された前記要素群を、前記リストから除外する除外部と、を備え、
前記抽出部は、前記除外要素が有している複数の属性に応じた複数の前記要素群を、前記リストからそれぞれ抽出し、
前記確認部は、抽出された複数の前記要素群に対するそれぞれの前記梗概を、前記画面に表示し、
前記除外部は、何れかの前記梗概が指定されて、前記確認が得られると、指定された前記梗概に対する前記要素群を前記リストから除外する、
ことを特徴とする表示装置。
【請求項２】
複数の要素を含むリストを、スクロール可能に、若しくは、ページ送り可能に、画面に表示する表示制御部と、
前記画面に表示されている前記リスト中の要素から、除外すべき除外要素の指定を受け付ける受付部と、
受け付けられた前記除外要素に類似する要素群を、前記リストから抽出する抽出部と、
前記抽出部によって抽出された前記要素群についての梗概を前記画面に表示し、前記要素群の除外について確認を得る確認部と、
前記確認が得られると、抽出された前記要素群を、前記リストから除外する除外部と、を備え、
前記表示制御部は、前記抽出部によって抽出された前記要素群が、前記リストから一時的に除外された仮リストを前記画面に表示し、
前記確認部は、異なる前記仮リストが前記画面に表示されて対比された後に、何れかの前記仮リストの反映について確認を得て、
前記除外部は、反映が確認された前記仮リストに対する前記要素群を、前記リストから除外する、
ことを特徴とする表示装置。
【請求項３】
前記除外部は、前記リストから前記要素群を削除すること、若しくは、前記リストにおいて前記要素群を非選択に設定することにより、前記要素群を前記リストから除外する、
ことを特徴とする請求項１又は２に記載の表示装置。
【請求項４】
複数の要素を含むリストを、スクロール可能に、若しくは、ページ送り可能に、画面に表示する表示制御部と、
前記画面に表示されている前記リスト中の要素から、除外すべき除外要素の指定を受け付ける受付部と、
受け付けられた前記除外要素に類似する要素群を、前記リストから抽出する抽出部と、
抽出された前記要素群を、前記リストから除外する除外部と、を備え、
前記抽出部は、前記リストにおける要素の数が閾値以上か否かに応じて、前記要素群を抽出する際における前記除外要素との類似判定の緩急を変更する、
ことを特徴とする表示装置。
【請求項５】
前記複数の要素には、購入対象となる複数のアイテム、若しくは、任意に検索された複数のアイテムが含まれている、
ことを特徴とする請求項１乃至４の何れか１項に記載の表示装置。
【請求項６】
前記受付部は、前記画面に表示されている前記リスト中の要素から、選択すべき選択要素の指定を受け付けると共に、選択完了の指示を受け付ける、
ことを特徴とする請求項１乃至５の何れか１項に記載の表示装置。
【請求項７】
表示装置における表示方法であって、
前記表示装置が、複数の要素を含むリストを、スクロール可能に、若しくは、ページ送り可能に、画面に表示する表示制御ステップと、
前記表示装置が、前記画面に表示されている前記リスト中の要素から、除外すべき除外要素の指定を受け付ける受付ステップと、
前記表示装置が、受け付けられた前記除外要素に類似する要素群を、前記リストから抽出する抽出ステップと、
前記表示装置が、抽出された前記要素群を、前記リストから除外する除外ステップと、を備え、
前記抽出ステップでは、前記リストにおける要素の数が閾値以上か否かに応じて、前記要素群を抽出する際における前記除外要素との類似判定の緩急を変更する、
ことを特徴とする表示方法。
【請求項８】
コンピュータを、
複数の要素を含むリストを、スクロール可能に、若しくは、ページ送り可能に、画面に表示する表示制御部、
前記画面に表示されている前記リスト中の要素から、除外すべき除外要素の指定を受け付ける受付部、
受け付けられた前記除外要素に類似する要素群を、前記リストから抽出する抽出部、
抽出された前記要素群を、前記リストから除外する除外部、として機能させ
前記抽出部は、前記リストにおける要素の数が閾値以上か否かに応じて、前記要素群を抽出する際における前記除外要素との類似判定の緩急を変更する、
ように機能させることを特徴とするプログラム。